(57)【要約】【課題】任意の位置に電子ペーパを追加して表示できる表示装置を提供する。【解決手段】位置検出リング２４は、端部１４９１，１４９２で切断され、凸部１４１，１４２においてマスタペーパ３に固定された開閉式の環であって、端部を離すことにより、スレーブペーパ４を着脱することができる。端部１４９１には、接触するとＯＮとなって位置検出リング２４の開閉を検出するスイッチが設けられている。マスターペーパ３のバッテリーから５Ｖの電圧が印加され、各スレーブペーパ４では、電圧計測部で位置検出用リング２４に流れている電流の電圧値を計測する。位置検出リング２４は電気抵抗体で形成されているため、スレーブペーパ４の位置検出用リング２４内での配置位置により、電圧計測部で計測される電圧は異なった値となる。その電圧値をＡ／Ｄ変換することにより、位置検出リング２４中のスレーブペーパ４の位置を検出する。【選択図】図２
2008052234.tif 000002
【特許請求の範囲】
【請求項１】
画像又は文書のページ単位のデータである表示用データを出力する表示面を備えた複数枚の電子ペーパと、前記複数枚の電子ペーパを束ねる綴じ部材と、前記複数枚の電子ペーパへの表示用データの出力を制御する出力装置とを備えた表示装置であって、
前記電子ペーパは、
当該電子ペーパの前記綴じ部材内における位置を示す情報である位置情報を検出する位置検出手段と、
前記位置検出手段により得られた位置情報を前記出力装置に送信する位置情報送信手段とを備え、
前記出力装置は、
前記電子ペーパに表示させる複数の表示用データを記憶する記憶手段と、
前記位置検出手段により検出された位置情報を、前記電子ペーパから取得する位置情報取得手段と、
前記位置情報取得手段により取得された前記位置情報に基づいて、当該表示装置に綴じられている各電子ペーパの綴じ順序を算出する順序算出手段と、
前記順序算出手段により算出された順序に基づいて、前記記憶手段に記憶されている表示用データを各電子ペーパに割り当てる割当手段と、
前記割当手段により割り当てられた各電子ペーパに対応する表示用データを、当該電子ペーパに送信する表示用データ送信手段とを備えたことを特徴とする表示装置。
【請求項２】
前記綴じ部材は、前記複数枚の電子ペーパに接続された電気抵抗体を備え、
前記電子ペーパにおける前記位置検出手段は、当該電子ペーパに接続している前記電気抵抗体から得られる電圧値により前記位置情報を検出することを特徴とする請求項１に記載の表示装置。
【請求項３】
前記出力装置は、前記位置情報取得手段により得られた位置情報に対応する各前記電子ペーパに対して、当該電子ペーパを識別する識別情報を前記電子ペーパから取得する識別情報取得手段を備え、
前記割当手段は、前記識別情報取得手段により取得した前記識別情報に対して、前記記憶手段に記憶されている表示用データを各電子ペーパに割り当て、
前記表示用データ送信手段は、前記識別情報取得手段により取得した前記識別情報を有する電子ペーパに前記表示用データを送信することを特徴とする請求項１又は２に記載の表示装置。
【請求項４】
前記出力装置は、画像を出力する表示面を備えた電子ペーパ部を備えたことを特徴とする請求項１から３のいずれかに記載の表示装置。
【請求項５】
前記出力装置に、前記綴じ部材が開閉自在に固定されていることを特徴とする請求項４記載の表示装置。
【請求項６】
前記電子ペーパは、貫通孔を備え、
前記綴じ部材は、前記貫通孔を貫通する貫通部を備え、
前記電子ペーパの前記位置検出手段は、前記貫通部のいずれの位置と接触しているのかを検出することを特徴とする請求項１から５のいずれかに記載の表示装置。
【請求項７】
画像又は文書のデータである表示用データの出力を制御する出力装置に接続し、綴じ部材により複数枚束ねられた電子ペーパであって、
前記出力装置から送信された表示用データを表示する表示面と、
前記綴じ部材内における位置を示す情報である位置情報を検出する位置検出手段と、
前記出力装置からの要求に従い、前記位置検出手段により得られた位置情報を前記出力装置に送信する位置情報送信手段とを備えたことを特徴とする電子ペーパ。
【請求項８】
綴じ部材により複数枚束ねられ、表示面を備えた電子ペーパに表示する画像又は文書のデータである表示用データの出力を制御する出力装置であって、
前記電子ペーパに表示させる表示用データをページごとに記憶する記憶手段と、
前記電子ペーパが検出した前記綴じ部材内における当該電子ペーパの位置を示す情報である位置情報を、前記各電子ペーパから取得する位置情報取得手段と、
前記位置情報取得手段により取得された前記位置情報に基づいて、当該表示装置に綴じられている各電子ペーパの綴じ順序を算出する順序算出手段と、
前記順序算出手段により算出された順序に基づいて、前記記憶手段に記憶されている表示用データを各電子ペーパに割り当てる割当手段と、
前記割当手段により割り当てられた各電子ペーパに対応する表示用データを、当該電子ペーパに送信する表示用データ送信手段とを備えたことを特徴とする出力装置。
【請求項９】
画像又は文書のデータである表示用データを出力する表示面を備えた電子ペーパ部と、
前記電子ペーパを複数枚束ねる綴じ部材とを備え、
前記綴じ部材は、前記電子ペーパ部に開閉自在に固定されていることを特徴とする請求項８に記載の出力装置。
【発明の詳細な説明】
【技術分野】
【０００１】
本発明は、複数枚の電子ペーパを束ねて保持し、文書や画像の表示用データからなるコンテンツを閲覧可能とするバインダタイプの表示装置、その表示装置に用いられる電子ペーパ及び出力装置に関するものである。
【背景技術】
【０００２】
近年、電子化された文書や画像の表示用データからなるコンテンツを閲覧するために、紙媒体に替わるものとして、柔軟で薄型の表示媒体である電子ペーパが開発されている。電子ペーパは、何度も上書きしたり消去したりして表示されているコンテンツを更新することができるが、大量のデータからなるコンテンツを閲覧したいときには、書籍やノートのように複数枚を束ねて使うことが便利であると考えられる。そこで、紙と同様に複数の電子ペーパを束ねて使用することが提案されている。
【０００３】
例えば、特許文献１では、複数ページの電子ペーパと、これが装着できる本体とからなる電子ペーパファイルが提案されている。この電子ペーパファイルでは、本体と電子ペーパの双方に接続端子を備え、本体側の接続端子が設けられている位置に電子ペーパを装着することができる。接続端子には識別番号が付されており、この識別番号により、接続端子に接続された電子ペーパを識別し、所望の電子ペーパに表示用データが送信される。
【特許文献１】特開２００２−２８７６９０号公報
【発明の開示】
【発明が解決しようとする課題】
【０００４】
しかしながら、上記従来の複数ページから構成される電子ペーパでは、本体の接続端子が開いている位置にしか電子ペーパを追加することができなかった。このため、ユーザが電子ペーパを追加する際、ユーザはわざわざ空いている端子探し出し、その位置に電子ペーパを追加するという煩わしい作業をしなければならなかった。
【０００５】
本発明は上記問題を解決するためになされたものであり、端子の位置を気にせずに電子ペーパを追加できる表示装置を提供することを目的とする。
【課題を解決するための手段】
【０００６】
上記目的を達成するために、本発明の請求項１に記載の表示装置は、画像又は文書のページ単位のデータである表示用データを出力する表示面を備えた複数枚の電子ペーパと、前記複数枚の電子ペーパを束ねる綴じ部材と、前記複数枚の電子ペーパへの表示用データの出力を制御する出力装置とを備えた表示装置であって、前記電子ペーパは、当該電子ペーパの前記綴じ部材内における位置を示す情報である位置情報を検出する位置検出手段と、前記位置検出手段により得られた位置情報を前記出力装置に送信する位置情報送信手段とを備え、前記出力装置は、前記電子ペーパに表示させる複数の表示用データを記憶する記憶手段と、前記位置検出手段により検出された位置情報を、前記電子ペーパから取得する位置情報取得手段と、前記位置情報取得手段により取得された前記位置情報に基づいて、当該表示装置に綴じられている各電子ペーパの綴じ順序を算出する順序算出手段と、前記順序算出手段により算出された順序に基づいて、前記記憶手段に記憶されている表示用データを各電子ペーパに割り当てる割当手段と、前記割当手段により割り当てられた各電子ペーパに対応する表示用データを、当該電子ペーパに送信する表示用データ送信手段とを備えたことを特徴とする。
【０００７】
また、本発明の請求項２に記載の表示装置は、請求項１に記載の発明の構成に加え、前記綴じ部材が、前記複数枚の電子ペーパに接続された電気抵抗体を備え、前記電子ペーパにおける前記位置検出手段は、当該電子ペーパに接続している前記電気抵抗体から得られる電圧値により前記位置情報を検出することを特徴とする。
【０００８】
また、本発明の請求項３に記載の表示装置は、請求項１又は２に記載の発明の構成に加え、前記出力装置が、前記位置情報取得手段により得られた位置情報に対応する各前記電子ペーパに対して、当該電子ペーパを識別する識別情報を前記電子ペーパから取得する識別情報取得手段を備え、前記割当手段は、前記識別情報取得手段により取得した前記識別情報に対して、前記記憶手段に記憶されている表示用データを各電子ペーパに割り当て、前記表示用データ送信手段は、前記識別情報取得手段により取得した前記識別情報を有する電子ペーパに前記表示用データを送信することを特徴とする。
【０００９】
また、本発明の請求項４に記載の表示装置は、請求項１から３のいずれかに記載の発明の構成に加え、前記出力装置が、画像を出力する表示面を備えた電子ペーパ部を備えたことを特徴とする。
【００１０】
また、本発明の請求項５に記載の表示装置は、請求項４に記載の発明の構成に加え、前記出力装置に、前記綴じ部材が開閉自在に固定されていることを特徴とする。
【００１１】
また、本発明の請求項６に記載の表示装置は、請求項１から５のいずれかに記載の発明の構成に加え、前記電子ペーパが、貫通孔を備え、前記綴じ部材は、前記貫通孔を貫通する貫通部を備え、前記電子ペーパの前記位置検出手段は、前記貫通部のいずれの位置と接触しているのかを検出することを特徴とする。
【００１２】
また、本発明の請求項７に記載の電子ペーパは、画像又は文書のデータである表示用データの出力を制御する出力装置に接続し、綴じ部材により複数枚束ねられた電子ペーパであって、前記出力装置から送信された表示用データを表示する表示面と、前記綴じ部材内における位置を示す情報である位置情報を検出する位置検出手段と、前記出力装置からの要求に従い、前記位置検出手段により得られた位置情報を前記出力装置に送信する位置情報送信手段とを備えたことを特徴とする。
【００１３】
また、本発明の請求項８に記載の出力装置は、綴じ部材により複数枚束ねられ、表示面を備えた電子ペーパに表示する画像又は文書のデータである表示用データの出力を制御する出力装置であって、前記電子ペーパに表示させる表示用データをページごとに記憶する記憶手段と、前記電子ペーパが検出した前記綴じ部材内における当該電子ペーパの位置を示す情報である位置情報を、前記各電子ペーパから取得する位置情報取得手段と、前記位置情報取得手段により取得された前記位置情報に基づいて、当該表示装置に綴じられている各電子ペーパの綴じ順序を算出する順序算出手段と、前記順序算出手段により算出された順序に基づいて、前記記憶手段に記憶されている表示用データを各電子ペーパに割り当てる割当手段と、前記割当手段により割り当てられた各電子ペーパに対応する表示用データを、当該電子ペーパに送信する表示用データ送信手段とを備えたことを特徴とする。
【００１４】
また、本発明の請求項９に記載の出力装置は、請求項８に記載の発明の構成に加え、画像又は文書のデータである表示用データを出力する表示面を備えた電子ペーパ部と、前記電子ペーパを複数枚束ねる綴じ部材とを備え、前記綴じ部材は、前記電子ペーパ部に開閉自在に固定されていることを特徴とする。
【発明の効果】
【００１５】
本発明の請求項１に記載の発明の表示装置では、複数枚の電子ペーパが位置検出手段により綴じ部材内における自身の位置をそれぞれ検出し、これらの位置情報が位置情報取得手段により取得される。取得した位置情報により、各電子ペーパと電子ペーパ間の並び順が特定されるので、記憶手段に記憶されているページごとの表示用データを割当手段により各電子ペーパに順序立てて割り当て、割り当てた表示用データを各電子ペーパに送信する。表示用データを受信した各電子ペーパでは、その表示用データを表示して閲覧に供することができる。各電子ペーパがそれぞれ位置検出手段を持つので、表示装置の任意の位置に新たな電子ペーパを追加したり、任意の電子ペーパを取り外したり、電子ペーパ間の位置を入れ替えたりしても、追加・位置更新後の位置情報を取得することで、新たな位置の電子ペーパに対応した表示用データを各電子ペーパに表示させることができる。即ち、従来のように空いている端子を探し出しそこに電子ペーパを追加するという煩わしい作業を必要とせず、ユーザは電子ペーパを追加することができる。
【００１６】
また、請求項２に記載の発明の表示装置では、請求項１に記載の発明の効果に加え、各電子ペーパを束ねる綴じ部材が電気抵抗体を備えているので、その電気抵抗体の両端に電圧を印加することにより、各電子ペーパの位置検出手段は、接続している前記電気抵抗体得られる電圧値から簡単に位置情報を得ることができる。
【００１７】
また、請求項３に記載の発明の表示装置では、請求項１又は２に記載の発明の効果に加え、取得した位置情報により、各電子ペーパの識別情報を取得し、その識別情報に対応させて表示用データの割当や送信を行うので、位置情報のみを用いる場合よりも効率よく各電子ペーパの特定をすることができる。
【００１８】
また、請求項４に記載の発明の表示装置では、請求項１から３のいずれかに記載の発明の効果に加え、出力装置も電子ペーパ部を備えるので、その電子ペーパ部にも表示用データを表示させることができ、電子ペーパでない制御部を有する場合に比べて多くのデータが表示できる。
【００１９】
また、請求項５に記載の発明の表示装置では、請求項４に記載の発明の効果に加え、出力装置は綴じ部材に固定されているので、出力装置である電子ペーパを他の電子ペーパから容易に識別することができる。
【００２０】
また、請求項６に記載の発明の表示装置では、請求項１から５のいずれかに記載の発明の効果に加え、貫通孔に貫通部を通すだけで電子ペーパを綴じることができる。
【００２１】
また、本発明の請求項７に記載の電子ペーパは、位置検出手段により位置情報を検出して出力装置にその位置情報を送信するので、出力装置が位置情報に基づいて他の電子ペーパとの並び順を特定し、その電子ペーパに適切な表示用データを送信してくるので、複数枚電子ペーパが束ねられ、任意に着脱されたとしても、追加・位置更新後の位置情報を取得することで、新たな位置の電子ペーパに対応した表示用データを表示することができる。
【００２２】
また、本発明の請求項８に記載の出力装置は、複数枚の電子ペーパが検出したその位置情報を取得して、各電子ペーパと電子ペーパ間の並び順が特定されるので、記憶手段に記憶されているページごとの表示用データを割当手段により各電子ペーパに順序立てて割り当て、割り当てた表示用データを各電子ペーパに送信する。表示用データを受信した各電子ペーパでは、その表示用データを表示して閲覧に供することができる。各電子ペーパがそれぞれ位置を検出するので、任意の位置に新たな電子ペーパを追加したり、任意の電子ペーパを取り外したり、電子ペーパ間の位置を入れ替えたりしても、追加・位置更新後の位置情報を取得することで、新たな位置の電子ペーパに対応した表示用データを各電子ペーパに送信して表示させることができる。
【００２３】
また、本発明の請求項９に記載の出力装置は、請求項８に記載の発明の効果に加え、電子ペーパ部を有する出力装置に綴じ部材が固定されているので、他の電子ペーパと出力装置とを容易に識別することができる。
【発明を実施するための最良の形態】
【００２４】
以下、本発明の実施の形態である表示装置１について図面を参照して説明する。表示装置１は、複数の電子ペーパを備えたバインダタイプである。まず、図１〜図６、図２０〜図２２を参照して、表示装置１の構成について説明する。図１は、表示装置１の外観を模式的に示した外観図である。図２は、表示装置１の位置検出手段である位置検出リング２４の説明図である。図３は、表示装置１の構成を示すブロック図である。図４は、マスタペーパ３のＲＡＭ３３のデータ構造を示す構成図である。図５は、ページ順序テーブル記憶領域３３２に記憶されたページ順序テーブルのデータ構造を示す構成図である。図６は、スレーブペーパ４のＲＡＭ４３のデータ構造を示す構成図である。図２０は、電源供給用リング２１の断面を示す模式図である。図２１は、位置検出用リング２４の断面を示す模式図である。図２２は、電源供給用貫通孔６１に電源供給用リング２１が貫通されている状態を示す模式図である。
【００２５】
図１に示すように、表示装置１は、表示部３６（図３参照）を備えた電子ペーパである略長方形のマスタペーパ３と、マスタペーパ３と同様の形状で表示部４６を備えたスレーブペーパ４を備えている。そして、マスタペーパ３及び各スレーブペーパ４は、４つの貫通孔６１〜６４を備え、それぞれの貫通孔を貫通する４つのリング２１〜２４からなる綴じ部材２により束ねて綴じられている。本実施形態では、スレーブペーパ４が４枚の場合を例にして説明する。以下、マスタペーパ３及びスレーブペーパ４を総称して電子ペーパ５と呼ぶ。尚、マスタペーパ３は出力装置として機能しており、マスタペーパ３及びスレーブペーパ４の表示部３６，４６に表示させる画像の制御を行う。
【００２６】
次に、図１、図２０〜図２２を参照して、電子ペーパ５の綴じ部材２について説明する。電子ペーパ５には、図１に示すように、電源供給用貫通孔６１，接地用貫通孔６２，通信用貫通孔６３，位置検出用貫通孔６４の４つの貫通孔が設けられている。以下、これらの貫通孔を総称して貫通孔６という。そして、綴じ部材２は、電源供給用リング２１，接地用リング２２，通信用リング２３，位置検出用リング２４の４つのリングで構成されている。電源供給用貫通孔６１には電源供給用リング２１を挿入し、接地用貫通孔６２には接地用リング２２を挿入し、通信用貫通孔６３には通信用リング２３を挿入し、位置検出用貫通孔６４には位置検出用リング２４を挿入して、電子ペーパ５が綴じられる。また、各リング２１〜２４はマスターペーパ３に固定されている。リング２１〜２４とマスタペーパ３と固定部分には回転軸が備えられており、その回転軸を軸にしてリング２１〜２４は回動する。そして、スレーブペーパ４の各貫通孔６の周囲には導電性のブラシが貫通孔の中心に向かって設置されており、ブラシと各リングが確実に接触するようになっている。すなわち、電源供給用リング２１を例に説明すると、図２２に示すように、電源供給用貫通孔６１内の長手方向の側面にはそれぞれブラシ１１０、１１１が設けられており、電源供給用貫通孔６１内を貫通した電源供給用リング２１に接触している。
【００２７】
電源供給用リング２１は、マスタペーパ３に備えられているバッテリー５４（図３参照）に接続され、スレーブペーパ４へ電源を供給する。また、接地用リング２２は、マスタペーパ３に備えられている０Ｖのアース５５（図３参照）に接続され、スレーブペーパ４からの接地に利用される。通信用リング２３は、マスタペーパ３に備えられている内部通信部３５（図３参照）及びスレーブペーパ４に備えられている内部通信部４５（図３参照）を接続し、電子ペーパ５間で情報のやり取りを行うのに使用される。位置検出用リング２４は、電子ペーパ５がどのような順で綴じ部材２に綴じられているかを検出するのに利用される。
【００２８】
ここで、図２０及び図２２を参照して、電源供給用リング２１について説明する。図２０に示すように、電源供給用リング２１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図２０に示すように、電源供給用リング２１の開閉部１１９の図２０における右側の端部を端部１１９１、左側の端部を端部１１９２とする。
【００２９】
電源供給用リング２１の内部は絶縁体１１３であり、その絶縁体１１３は表面が導体１１４で覆われている。そして、図２０に示すように、電源供給用リング２１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００３０】
尚、マスタペーパ３の電源供給用貫通孔６１内のマスタペーパ３の端側には、１つの凹部が設けられている。そして、その凹部には、バッテリー５４（図３参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００３１】
また、図２２に示すように、スレーブペーパ４の電源供給用貫通孔６１の内側には、導電性のブラシ１１０，１１１が設けられており、導体１１４と接触している。そして、このブラシ１１０，１１１から取得された電源が電源回路（図示外）に接続し、スレーブペーパ４を駆動させるための電源とされる。
【００３２】
次に、図２及び図２１を参照して、位置検出用リング２４及び位置検出用リング２４による電子ペーパ５の綴じ順序の検出方法について説明する。図２１に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図２１に示す、位置検出用リング２４の開閉部１４９の図２２における紙面右側の端部を端部１４９１、左側の端部を端部１４９２とする。
【００３３】
位置検出用リング２４の内部は絶縁体１４３であり、その絶縁体１４３は表面がカーボン等の電気抵抗体１４４で覆われている。そして、図２２に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００３４】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮとなり、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００３５】
尚、マスタペーパ３の位置検出用貫通孔６４の内部には、２つの凹部が設けられており、マスタぺーパ３が位置検出用リング２４に固定される。この凹部は、マスタペーパ３の短手方向に平行に向かい合う位置に設けられている。そして、マスタペーパ３の内側の凹部には、バッテリー５４（図３参照）に接続された導線の一端及び開閉検出部３９（図３参照）に接続された導線の一端が接続されており、外側の凹部には、アース５５（図３参照）に接続された導線の一端が接続されている。
【００３６】
そして、位置検出用リング２４の凸部１４１，１４２にマスタペーパ３の凹部が嵌合され、位置検出用リング２４はマスタペーパ３に固定されている。したがって、導線１４６にはバッテリー５４から５Ｖの電圧が印加され、導線１４６の接続点１４６２から電気抵抗体１４４に電流が流れ、導線１４７の接続点１４７２から導線１４７へ、そしてアース５５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧は下がり、位置検出用リング２４の端部１４９１から端部１４９２へ向かって、電圧が下がっていく。
【００３７】
また、スレーブペーパ４には、電圧計である電圧計測部４８（図３参照）が設けられている。そして、位置検出用貫通孔１４に設けられたブラシが電圧計測部４８の端子として機能し、位置検出用貫通孔６４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。尚、以下、Ａ／Ｄ変換した値をＡ／Ｄ変換値と呼ぶこととする。後述するペーパ順序管理テーブル（図１１参照）においては、このＡ／Ｄ変換値が位置検出用リング２４内での電子ペーパ５の位置を示す「環内位置」の値として使用される。
【００３８】
図２に示すように、本実施の形態では、端部１４９１にスレーブペーパ４が存在する場合には、スレーブペーパ４の電圧計測部４８において計測された電圧値が位置検出部４７においてＡ／Ｄ変換値「２５５」と検出され、図２における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図２における端部１４９２の左隣にスレーブペーパ４が存在する場合には、Ａ／Ｄ変換値は「１」と検出される。そして、マスタペーパ３の図２における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。尚、マスタペーパ３は、位置検出用リング２４において、Ａ／Ｄ変換値が「１２８」に対応する位置に固定されている。
【００３９】
次に、図３を参照して、表示装置１の電気的構成について説明する。図３に示すように、表示装置１は、マスタペーパ３とスレーブペーパ４とから構成されている。尚、スレーブペーパ４は複数接続可能であるが、電気的構成はどのスレーブペーパ４でも同様であるため、図３においては１枚のスレーブペーパ４のみを記載している。
【００４０】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の識別情報である。
【００４１】
また、表示用データを閲覧可能に表示するための表示部３６と、表示用データ又は表示用データの所在情報を記憶するメモリカード３８を読み込むためのメモリカードインタフェイス（Ｉ／Ｆ）１３７と、通信用リング２３に接続してスレーブペーパ４との間でデータ通信を行うための通信回路を備えた内部通信部３５と、時間を計測するための計時装置３６とも同様にバスを介してＣＰＵ３１に接続されている。そして、位置検出リング２４のスイッチ１４８に接続し、位置検出リング２４の開閉を検出する開閉検出部３９もバスを介してＣＰＵ３１に接続されている。
【００４２】
メモリカード３８には、複数の表示用データから構成されるコンテンツが記憶されている。表示用データは１ページ分の画像や文書のデータである。一つの表示用データに基づいて電子ペーパの表示部３６には１ページ分の画像や文書が出力される。また、メモリカード３８には上述のコンテンツが１つだけ記憶されている。尚、メモリカード３８に複数のコンテンツが記憶されていても良いが、その例については後述する。
【００４３】
さらに、マスタペーパ３には、マスタペーパ３及び綴じ部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。
【００４４】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とを備え、ＲＯＭ４２とＲＡＭ４３とＥＥＰＲＯＭ４４とはバスを介してＣＰＵ４１に接続されている。ＥＥＰＲＯＭ４４に記憶された製造番号は、それぞれのスレーブペーパ４に固有の番号であり、他のスレーブペーパ４から一意に識別できるスレーブペーパ４の識別情報である。また、表示用データを閲覧可能に表示するための表示部４６も同様にバスを介してＣＰＵ４１に接続されている。
【００４５】
そして、通信用リング２３に接続してマスタペーパ３との間でデータ通信を行うための通信回路を備えた内部通信部４５も同様にバスを介してＣＰＵ４１に接続されている。さらに、位置検出用リング２４の電気抵抗体１４４（図３参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４７もＣＰＵ４１にバスを介して接続されている。尚、位置検出部４７が本発明の位置検出手段に相当する。
【００４６】
次に、図４を参照して、マスタペーパ３のＲＡＭ３３について説明する。図４に示すように、ＲＡＭ３３には、現在表示装置１に綴じられている電子ペーパ５の数を記憶する接続ペーパ数記憶領域３３１，どの電子ペーパ５に何を表示させるのかを示すページ順序テーブル（後述）を記憶するページ順序テーブル記憶領域３３２，表示部３６に表示する表示用データを格納するためのページデータ展開領域３３３，メモリカード３６へのアクセス時に一時使用領域として使用するメモリカードアクセス用ワークエリア３３４，ページ順序テーブルを更新する際に旧テーブルを格納する表示処理ワークエリア３３５，表示中のコンテンツの何ページから表示させるかを格納する表示開始コンテンツページ番号記憶領域３３６，表示書換処理を実行させるペーパのページ番号を記憶する書換え開始ペーパページ番号記憶領域３３７，書換処理を実行したページ数を記憶する書換えページ数記憶領域３３８が設けられている。尚、ＲＡＭ３３には、図示外のその他の記憶領域も設けられている。
【００４７】
次に、図５を参照してページ順序テーブル記憶領域３３２に記憶されたページ順序テーブルについて説明する。ページ順序テーブルは、綴じられている電子ペーパ５の順序を示すペーパページ番号３３２１，各電子ペーパの製造番号３３２２，現在表示しているコンテンツのどのページをその電子ペーパ５に表示しているかを示す表示中コンテンツページ番号３３２３，その電子ペーパ５の位置情報を０〜２５５の値で示す環内位置３３２４の項目のデータが各電子ペーパ５について格納されている。ページ捲り（電子ペーパの位置の変更）がなされたときにこのページ順序テーブルを更新することで、適切な表示用データを各電子ペーパの表示部に表示させることができる。
【００４８】
次に、図６を参照して、スレーブペーパ４のＲＡＭ４３について説明する。図６に示すように、ＲＡＭ４３には、位置検出部４７の検出結果である位置情報を記憶する接続位置記憶領域４３１，綴じられている電子ペーパ５の中で当該スレーブペーパ４が何番目かを示すペーパページ番号を記憶するペーパページ番号記憶領域４３２，表示部４６に表示する表示用データを格納するためのページデータ展開領域４３３，図示外のその他の記憶領域が設けられている。
【００４９】
次に、以上の構成を有する表示装置１の動作について、図７〜図１９を参照して説明する。まず、図７〜図１８を参照して、マスタペーパ３の動作について説明する。図７は、マスタペーパ３のメイン処理（マスタペーパメイン処理）のフローチャートである。図８は、マスタペーパメイン処理の中で実行されるペーパ情報収集処理のフローチャートである。図９は、マスタペーパメイン処理のＳ２０でペーパ情報収集処理を実行した場合のＲＡＭ３３の記憶領域の状態の例を説明する説明図である。図１０は、マスタペーパメイン処理のＳ４０を実行した場合のＲＡＭ３３の記憶領域の状態の例を説明する説明図である。図１１は、マスタペーパメイン処理の中で実行されるデータ表示処理のフローチャートである。図１２は、先頭ページを捲った直後にマスタペーパメイン処理のＳ１１０でペーパ情報収集処理を実行した場合のＲＡＭ３３の記憶領域の状態の例を説明する説明図である。図１３は、マスタペーパメイン処理の中で実行される先頭ページ位置走査処理のフローチャートである。図１４は、先頭ページ位置走査処理を実行した後のＲＡＭ３３の記憶領域の状態の例を説明する説明図である。図１５は、マスタペーパメイン処理の中で実行される後端ページ位置走査処理のフローチャートである。図１６は、後端ページを捲った場合のＲＡＭ３３の記憶領域の状態の例を説明する説明図である。図１７は、後端ページ位置走査処理を実行した後のＲＡＭ３３の記憶領域の状態の例を説明する説明図である。図１８は、マスタペーパメイン処理の中で実行される複数ページ位置検出処理のフローチャートである。
【００５０】
まず、図７に示すように、マスタペーパメイン処理では、表示装置１に綴じられている電子ペーパ５の位置情報・識別情報を収集し、メモリカード３８に記憶されているコンテンツの表示用データを各電子ペーパ５に割り当てる処理を行う。綴じ部材２が開閉されたり、ページ捲りが行われたりするたびに、これらの処理を実行して状態を更新して処理を繰り返す。
【００５１】
図示しない電源ボタンによりマスタペーパ３の電源がＯＮされるとマスタペーパメイン処理が開始される。マスタペーパメイン処理が開始されると、表示開始コンテンツページ番号を１として表示開始コンテンツページ番号記憶領域３３６に格納する（Ｓ１０）。次に、表示装置１に綴じられている電子ペーパ５の情報であるペーパ情報を収集するペーパ情報収集処理を実行する（Ｓ２０）。尚、ペーパ情報とは、どの電子ペーパ５がどこに位置しているかを示す情報である。
【００５２】
ここで、ペーパ情報収集処理の詳細について、図８及び図９を参照して説明する。ペーパ情報収集処理では、０〜２５５の位置にあるスレーブペーパ４に順に製造番号を問い合わせ、どのスレーブペーパ４がどこに位置しているかの対応関係をページ順序テーブルに記憶させる。
【００５３】
図８に示すように、ペーパ情報収集処理では、まず走査位置に０をセットして初期化する。そして、マスタペーパ３自身も表示装置１内に綴じられていることから、まずマスタペーパ３についてのペーパ情報を記憶する。すなわち、接続ペーパ数記憶領域３３１に接続ペーパ数を１と記憶し、マスタペーパ３の製造番号と位置情報をページ順序テーブルに記憶する（Ｓ２１）。
【００５４】
次に、０の走査位置から順にスレーブペーパ４に対して製造番号を問い合わせる処理を行う。問い合わせた走査位置にスレーブペーパ４が存在しない場合には応答が返ってこないので、その場合にはタイムアウト処理を行う。そのために、まず応答待ちのためのタイマをセットする（Ｓ２２）。次に、対象とする走査位置にある可能性のあるスレーブペーパ４に対して製造番号を問い合わせる（Ｓ２３）。尚、本実施形態では、マスタペーパ３とスレーブペーパ４間のデータ送信は、（宛先タイプ，宛先位置，宛先製造番号，コマンド，データ）のような形式を用いて行っている。ここでは、例えば、０の走査位置に対して製造番号を問い合わせるコマンド（Ｓ，０，＊，ＲＥＱＩＤ）を送信する。
【００５５】
次に、このコマンド送信に対してスレーブペーパ４から応答が得られたか否かを判断する（Ｓ２４）。応答があった場合には（Ｓ２４：ＹＥＳ）、応答にあったスレーブペーパ４の製造番号をページ順序テーブルのペーパ番号３３２２に、今回対象としている走査位置を環内位置３３２４に記憶する（Ｓ２５）。そして、綴じられている電子ペーパの数（接続ペーパ数）に１を加算する（Ｓ２６）。一方、応答がない場合は（Ｓ２４：ＮＯ）、所定時間経過してタイムアウトになるまで（Ｓ２７：ＮＯ）、Ｓ２４に戻って処理を繰り返し、タイムアウトになったら（Ｓ２７：ＹＥＳ）、次の走査位置の処理に進む（Ｓ２８）。
【００５６】
対象走査位置の処理が終了したら（Ｓ２６又はＳ２７：ＹＥＳ）、次の走査位置を対象とするために走査位置に１を加算する（Ｓ２８）。そして、走査位置２５５まで処理が終了するまで（Ｓ２９：ＮＯ）、Ｓ２２〜Ｓ２９を繰り返す。全ての走査位置について処理が終了したら、環内位置３３２４をキーにして環内位置３３２４が若い順にページ順序テーブルのレコードを並び替え、更に、環内位置３３２４が若い順にペーパページ番号を１から順番に割り振る（Ｓ３０）。以上で表示装置１内の全ての電子ペーパの位置と製造番号が収集できたので、ペーパ情報収集処理を終了してマスタペーパメイン処理に戻る。尚、Ｓ２３において問い合わせ先の環内位置３３２４が１２８である場合、Ｓ２７において必ずタイムアウトになってしまう。なぜなら、本実施形態ではマスタペーパ３の環内位置３３２４が１２８なので、スレーブペーパ４の環内位置３３２４が１２８になることはないからである。
【００５７】
図９は、ペーパ情報収集処理が終了したときのＲＡＭ３３の記憶領域の状態である。接続ペーパ数記憶領域３３１には３が格納されているから、現在表示装置１に綴じられている電子ペーパの数はマスタペーパ３を入れて３枚である。そして、ページ順序テーブルには３枚の電子ペーパそれぞれの情報が上に位置する順に並べられており、先頭頁は環内位置１２７の製造番号Ｓ００２３４のスレーブペーパ４、次がマスタペーパ３（製造番号はＭ００００１，環内位置は１２８）、最終頁は環内位置１２９の製造番号Ｓ０４０５８のスレーブペーパ４となっている。
【００５８】
次に、図７に戻ってマスタペーパメイン処理の説明を継続する。ペーパ情報収集処理が終了したので（Ｓ２０）、次に、コンテンツの表示用データを各ペーパに割り当てるページ割り当て処理を行う（Ｓ４０）。すなわち、図１０に示すように、ペーパページ番号３３２１が１の電子ペーパから順に、表示中コンテンツページ番号３３２３を、１、２、３と表示中コンテンツのページを割り当てる。そして、書換え開始ペーパページ番号記憶領域３３７に１を格納し、書換えページ数記憶領域３３８に３を格納する。この設定により、次に説明するデータ表示処理が１ページ目のペーパから全ペーパに対して実行される。
【００５９】
次に、割り当てたコンテンツのページを各電子ペーパに表示させるデータ表示処理を実行する（Ｓ５０）。ここで、図１１を参照して、データ表示処理について説明する。まず、書換えすべきページ数が０に達したかどうかを判断する（Ｓ５１）。書換えページ数が０になるまでの間（Ｓ５１：ＮＯ）、以下の処理を繰り返し実行する。
【００６０】
まず、書換え開始ペーパページ番号（図１０の例では１）の表示中コンテンツページ番号（図１０の例では１）の表示用データをメモリカード３８から読み出して、ページデータ展開領域３３３に格納する（Ｓ５２）。すなわち、まず１ページ目の電子ペーパに表示用コンテンツの第１ページを表示させるために、１ページ目の表示用データを読み込む。
【００６１】
次に、ページ番号３３２１が書換え開始ペーパページ番号である電子ペーパの製造番号が、マスタペーパ３自身の製造番号か否かを判断する。マスタペーパ３自身の製造番号であれば（Ｓ５３：ＹＥＳ）、その表示用データをそのままマスタペーパ３の表示部３６に表示させる（Ｓ５４）。図１０の例では、ページ番号３３２１が書換え開始ペーパページ番号（＝１）であるペーパの製造番号３３２２は「Ｓ００２３４」であり、マスタペーパ３の製造番号ではないから（Ｓ５３：ＮＯ）、その製造番号のスレーブペーパ４に表示用データを送信する（Ｓ５５）。この場合のデータ送信は、（Ｓ，＊，Ｓ００２３４，ＲＥＱＷＲＩＴＥ，［表示用データ］）となる。後述のように、このコマンドを受信したスレーブペーパ４は、その表示部４６に受信した表示用データを表示させ、表示完了を通知してくるので、その応答を受信するまで待機する（Ｓ５６）。
【００６２】
以上で１ページ目用の表示用データが１枚目の電子ペーパに表示されたので、書換えすべきペーパの数（書換えページ数）から１を減算する（Ｓ５７）。そして、次に位置している電子ペーパ５に表示用データを表示させるために、書換え開始ペーパページ番号に１を加算する（Ｓ５８）。ここでは、書換えページ数が２となり、書換え開始ペーパページ番号が２となる。
【００６３】
そして、表示装置１内の全ての電子ペーパに表示が完了したか否かを判断するため、書換え開始ペーパページ番号が接続ペーパ数を上回ったかどうかを判断する（Ｓ５９）。ここでは、接続ペーパ数は３であり、書き換え開始ペーパページ番号は２であるから、Ｓ５１に戻って次の位置の電子ペーパへの表示処理を行う。次回の処理では、ページ番号３３２１が書換え開始ペーパページ番号（＝２）である電子ペーパの製造番号は「Ｍ０００１」であり、マスタペーパ３自身の製造番号であるから（Ｓ５３：ＹＥＳ）、ページデータ展開領域３３３に格納された表示用データをそのまま表示部３６に表示させる（Ｓ５４）。そして、書換えページ数を減算して１とし（Ｓ５７）、書換え開始ペーパページ番号を加算して３とする（Ｓ５８）。以上で２ページ目の表示用データの表示が完了する。
【００６４】
まだ表示処理は完了していないので（Ｓ５９：ＮＯ）再度Ｓ５１に戻り、次のペーパに対する表示処理を行う。次回の処理では、ペーパページ番号３３２１が書換え開始ペーパページ番号（＝３）である電子ペーパの製造番号は「Ｓ０４０５８」のスレーブペーパ４であるから（Ｓ５３：ＮＯ）、そのスレーブペーパ４に表示用データを送信して表示させる（Ｓ５５）。そして、書換えページ数を減算して０とし（Ｓ５７）、書換え開始ペーパページ番号を加算して４とする（Ｓ５８）。
【００６５】
以上で表示装置１内の３枚のペーパ全てに表示がなされた（書換え開始ペーパページ番号が接続ペーパ数を越えた）ので（Ｓ５９：ＹＥＳ）、書換え開始ペーパページ番号に１をセットして（Ｓ６０）、Ｓ５１に戻り、書換えページ数が０になっているので（Ｓ５１：ＹＥＳ）、マスタペーパメイン処理に戻る。
【００６６】
尚、Ｓ５２において表示中コンテンツページ番号に対応する表示用データが存在しない場合は、白紙の表示用データをページデータ展開領域３３３に格納する。また、表示中コンテンツページ番号に後述の「コンテンツ終了を示す画面データにリンクする値」が設定されている場合には、コンテンツ終了を示す画面データをページデータ展開領域３３３に格納する。また、表示中コンテンツページ番号に後述の「コンテンツ先頭を示す画面データにリンクする値」が設定されている場合には、コンテンツ先頭を示す表示用データをページデータ展開領域３３３に格納する。コンテンツ終了を示す表示用データ及びコンテンツ先頭を示す表示用データはそれぞれＥＥＰＲＯＭ３４に記憶されている。ここでは、ＥＥＰＲＯＭ３４に記憶されているものとして説明するが、コンテンツ終了を示す表示用データ及びコンテンツ先頭を示す表示用データは、どこに記憶されていても良い。
【００６７】
図７に戻り、マスタペーパメイン処理の説明を継続する。以上で表示装置１内の３枚の電子ペーパ５のそれぞれにコンテンツの１ページから３ページが表示されたので（Ｓ５０）、次に、綴じ部材２が開閉されたか否かを判断する（Ｓ７０）。既に述べたように、綴じ部材２の開閉は、位置検出リング２４のスイッチ１４８により検出される。開閉されていれば（Ｓ７０：ＹＥＳ）、電子ペーパ５の追加や取り外しが行われている可能性があるので、再度ペーパ情報収集処理を実行し（Ｓ８０，図８）、更新されたページ順序テーブルに従ってページ割り当て処理を行うとともに、書換え開始ペーパページ番号記憶領域３３７に１を格納し、書換えページ数記憶領域３３８に接続ペーパ数をセットする（Ｓ９０）。そして、ページ割り当て済のページ順序テーブルに従って各電子ペーパに表示用データを表示させる（Ｓ２００，図１１）。
【００６８】
綴じ部材２が開閉されていない場合には（Ｓ７０：ＮＯ）、ページ捲りが行われたかどうかをチェックしてページ捲りがあった場合には表示部３６，４６への表示用データを適宜書き換える処理を行う（Ｓ１００〜Ｓ２００）。まず、ページ順序テーブル記憶領域３３２に記憶されている現在のページ順序テーブルを、表示処理ワークエリア３３５に旧ページ順序テーブルとしてコピーする（Ｓ１００）。
【００６９】
次に、ページ捲りが行われたかどうかをチェックするために、ペーパ情報収集処理を実行する（Ｓ１１０，図８）。例えば、Ｓ１１０の実行後、ページ順序テーブルは図１２に示すような状態に更新される。旧ページ順序テーブルでは環内位置３３２４が１２７で先頭ページ（ページ番号１）だった「Ｓ００２３４」のスレーブペーパ４が、ページ順序テーブルでは、環内位置３３２４が１３０となり後端ページ（ページ番号３）に来ている。
【００７０】
次に、Ｓ１１０で更新されたページ順序テーブルを参照して先頭ページの位置を確認し、後端に来たページの表示内容を更新する準備をする先頭ページ位置走査処理を実行する（Ｓ１２０）。
【００７１】
ここで、図１３を参照して、先頭ページ位置走査処理について説明する。図１３に示すように、先頭ページ位置走査処理では、まず、走査の対象とする走査ペーパ番号に、表示処理ワークエリア３３５に記憶されている旧ページ順序テーブルの先頭位置のペーパの製造番号を設定する（Ｓ１２１）。図１２の例では、走査ペーパ番号＝Ｓ００２３４と設定される。
【００７２】
次に、Ｓ１２１で設定した走査ペーパ番号のペーパのページ順序テーブルにおけるペーパページ番号と、接続ペーパ数とが同一かどうかを判断する（Ｓ１２２）。走査ペーパ番号のペーパは、旧ページ順序テーブルの先頭位置のペーパであり、接続ペーパ数は、最終ページのページ番号と等しいから、この２つの値が等しい場合は（Ｓ１２２：ＹＥＳ）、先頭ページだったペーパが捲られて最終ページになったということであるから、現在のページ順序テーブルの後端ペーパに表示するべき表示中コンテンツページ番号３３２３が、後端ペーパの１ページ前のペーパの次のページになるように、表示中コンテンツページ番号３３２３の値を更新する（Ｓ１２４）。図１２の例では、後端である「Ｓ００２３４」の表示中コンテンツページ番号３３２３の値は「１」であるが、これを１ページ前の表示中コンテンツページ番号３３２３の値「３」の次のページである「４」に更新する（図１４参照）。
【００７３】
そして、表示装置１で現在表示しているコンテンツの何ページ目が先頭の電子ペーパに表示されているかを示す表示開始コンテンツページ番号を１増やして、表示開始コンテンツページ番号記憶領域３３６に記憶する。図１２の例で表示開始コンテンツページ番号は「１」だったが、先頭ページが捲られた結果、現在の先頭ページ（［Ｍ０００１］）に表示されているコンテンツのページは２ページ目となっているから、表示開始コンテンツページ番号は「２」に更新される（図１４参照）。
【００７４】
次に、現在のページ順序テーブルの後端ペーパに表示するべき表示中コンテンツページ番号がコンテンツのコンテンツページ数よりも大きいかどうかを判断する（Ｓ１２６）。コンテンツページ数よりも大きい場合は、先頭ページを捲って後端ページとしたが、後端ページに表示すべきコンテンツデータがない場合にあたる。このような場合には（Ｓ１２６：ＹＥＳ）、書き換え開始ペーパページ番号記憶領域３３７に１を記憶し（Ｓ１２９）、書換えページ数に「１」を設定して書換えページ数記憶領域３３８に記憶させた上で（Ｓ１３０）、現在のページ順序テーブルの後端ペーパに表示するべき表示中コンテンツページ番号にコンテンツ終了を示す画面データにリンクする値を設定する（Ｓ１３１）。そして、マスタペーパメイン処理に戻る。
【００７５】
後端ペーパの表示中コンテンツページ番号がコンテンツページ数以下であれば（Ｓ１２６：ＮＯ）、表示の書換えが必要なペーパのページ番号を接続ペーパ数とする（Ｓ１２７）。ここでは、先頭だったペーパがページ捲りされ後端に移ったので、その後端のページの表示を書き換える必要がある。後端のページのペーパページ番号は、接続ペーパ数と同一の値であるから、書き換え開始ペーパページ番号を接続ペーパ数とする。図１２の例では、ページ捲りされて先頭（ペーパページ番号＝１）から後端（ペーパページ番号＝３）に移った「Ｓ００２３４」のペーパに、コンテンツの次のページを表示させたい。従って、図１４に示すように、書き換え開始ペーパページ番号記憶領域３３７に３が記憶される。
【００７６】
そして、今回書き換えたいペーパの数は後端のペーパのみであるから、書換えページ数に「１」を設定して書換えページ数記憶領域３３８に記憶させて（Ｓ１２８）、マスタペーパメイン処理に戻る。
【００７７】
一方、走査ペーパ番号のペーパページ番号と接続ペーパ数とが同一の値でなければ（Ｓ１２２：ＮＯ）、先頭ページが捲られて後端に行ってはいないから、表示の書換えを実行する必要がないので、書換えページ数に０を設定し（Ｓ１２３）、マスタペーパメイン処理に戻る。
【００７８】
図７に戻り、マスタペーパメイン処理の説明を継続する。先頭ページのページ捲りがあったかどうかが以上の先頭ページ位置走査処理（Ｓ１２０，図１３）で判断されたので、次に、その結果に基づいてページ捲りがあったか否かを判断する（Ｓ１４０）。ページ捲りがあったかどうかは、具体的には、先頭ページ位置走査処理の結果、書換えページ数記憶領域３３８の値に「１」が記憶されているか否かにより判断できる。ページ捲りがあった場合には（Ｓ１４０：ＹＥＳ）、Ｓ１２０で更新されたページ順序テーブル、表示開始コンテンツページ番号、書換え開始ペーパページ番号、書換えページ数（図１４参照）に従って、各電子ペーパ５に表示用データを表示させる（Ｓ２００，図１１）。
【００７９】
ページ捲りがなかったと判断された場合には、次に、後端ページのページ捲りが行われたかを調べ、先頭に移動したページの表示内容を更新する準備をする後端ページ位置走査処理を行う（Ｓ１５０）。
【００８０】
ここで、図１５〜図１７を参照して、後端ページ位置走査処理について説明する。図１５に示すように、後端ページ位置走査処理では、まず、走査の対象とする走査ペーパ番号に、表示処理ワークエリア３３５に記憶されている旧ページ順序テーブルの後端のペーパの製造番号を設定する（Ｓ１５１）。図１６の例では、走査ペーパ番号＝Ｓ０４０５８と設定される。
【００８１】
次に、Ｓ１２１で設定した走査ペーパ番号のペーパのページ順序テーブルにおけるペーパページ番号が「１」であるかを判断する（Ｓ１５２）。走査ペーパ番号のペーパは、旧ページ順序テーブルの後端位置のペーパであるから、これが現在のページ順序テーブルで「１」である場合（Ｓ１５２：ＹＥＳ）、後端ページだったペーパが捲られて先頭ページになったということであるから、現在のページ順序テーブルの先頭ペーパに表示するべき表示中コンテンツページ番号３３２３が、２ページ目のペーパの前のページになるように、表示中コンテンツページ番号３３２３の値を更新する（Ｓ１５４）。図１６の例では、現在先頭である「Ｓ０４０５８」の表示中コンテンツページ番号３３２３の値は「６」であるが、これを２ページ目の表示中コンテンツページ番号３３２３の値「４」の前のページである「３」に更新する（図１７参照）。
【００８２】
そして、表示装置１で現在表示しているコンテンツの何ページ目が先頭の電子ペーパ５に表示されているかを示す表示開始コンテンツページ番号を１減らして、表示開始コンテンツページ番号記憶領域３３６に記憶する（Ｓ１５５）。図１６の例で表示開始コンテンツページ番号は「４」だったが、後端ページが先頭へ捲られた結果、現在の先頭ページ（［Ｓ０４０５８］）に表示されているコンテンツのページは３ページ目となっているから、表示開始コンテンツページ番号は「３」に更新される（図１７参照）。
【００８３】
次に、表示開始コンテンツページ番号が「１」より小さいかどうかを判断する（Ｓ１５６）。１ページ目から表示させていた状態で、後端ページを先頭に捲ると、表示開始コンテンツページ番号は「０」になってしまう（Ｓ１５６：ＹＥＳ）。このような場合は、書き換え開始ペーパページ番号記憶領域３３７に１を記憶し（Ｓ１５９）、書換えページ数に「１」を設定して書換えページ数記憶領域３３８に記憶させた上で（Ｓ１６０）、現在のページ順序テーブルの先頭ペーパに表示するべき表示中コンテンツページ番号にコンテンツ先頭を示す画面データにリンクする値を設定する（Ｓ１６１）。そして、表示開始コンテンツページ番号を０として（Ｓ１６２）、マスタペーパメイン処理に戻る。
【００８４】
表示開始コンテンツページ番号が「１」以上であれば（Ｓ１５６：ＮＯ）、表示の書換えが必要な電子ペーパ５のページ番号（書換え開始ページ番号）を１とする（Ｓ１５７）。ここでは、後端だったペーパがページ捲りされて先頭ページに移ったので、先頭ページの表示を書き換える必要があるため、「１」に設定する（図１７参照）。
【００８５】
そして、今回書き換えたい電子ペーパ５の数は先頭の電子ペーパ５のみであるから、書換えページ数に「１」を設定して書換えページ数記憶領域３３８に記憶させて（Ｓ１５８）、マスタペーパメイン処理に戻る。
【００８６】
一方、走査ペーパ番号のペーパページ番号が１でなければ（Ｓ１５２：ＮＯ）、後端ページが捲られて先頭に行ってはいないから、表示の書換えを実行する必要がないので、書換えページ数に０を設定し（Ｓ１５３）、マスタペーパメイン処理に戻る。
【００８７】
図７に戻り、マスタペーパメイン処理の説明を継続する。後端ページのページ捲りがあったかどうかが以上の後端ページ位置走査処理（Ｓ１５０）で判断されたので、次に、後端ページのページ捲りがあったか否かを判断する（Ｓ１７０）。ページ捲りがあったかどうかは、具体的には、先頭ページ位置走査処理の結果、書換えページ数記憶領域３３８の値に「１」が記憶されているか否かにより判断できる。ページ捲りがあった場合には（Ｓ１７０：ＹＥＳ）、Ｓ１５０で更新されたページ順序テーブル、表示開始コンテンツページ番号、書換え開始ペーパページ番号、書換えページ数（図１７参照）に従って、各電子ペーパに表示用データを表示させる（Ｓ２００，図１１）。
【００８８】
後端ページのページ捲りがなかった場合には（Ｓ１７０：ＮＯ）、次に、複数ページが一度に捲られたかどうかを判断する複数ページ位置走査処理を実行する（Ｓ１８０）。
【００８９】
ここで、図１８を参照して、複数ページ位置走査処理について説明する。図１８に示すように、複数ページ位置走査処理では、まず、走査の対象とする走査ペーパ番号に、表示処理ワークエリア３３５に記憶されている旧ページ順序テーブルの後端の電子ペーパ５の製造番号を設定する（Ｓ１８１）。
【００９０】
次に、Ｓ１８１で設定した走査ペーパ番号の旧ページ順序テーブルにおけるページ番号と、現在のページ順序テーブルにおけるページ番号とが等しいか否かを判断する（Ｓ１８２）。旧ページ番号と新ページ番号が等しければ（Ｓ１８２：ＹＥＳ）、ページ捲りは行われていないので、そのまま書換ページ数を「０」として（Ｓ１８３）、マスタペーパメイン処理に戻る。
【００９１】
一方、既に、先頭ページ位置走査処理（Ｓ１２０，図１３）と後端ページ位置走査処理（Ｓ１５０，図１５）において、先頭ページ又は後端ページが１ページだけ捲られる場合については処理が済んでいるので、ここで旧ページ番号と新ページ番号が等しくない場合は（Ｓ１８２：ＹＥＳ）、複数ページが一度に捲られた場合のみである。この場合には、表示中コンテンツページ番号３３２３の値を、現在のページ順序テーブル先頭の表示中コンテンツページ番号とし（Ｓ１８４）、ページ順序テーブルの２番目以降の表示中コンテンツページ番号を先頭ページに合うように更新する（Ｓ１８５）。そして、書換え開始ペーパページ番号を２として、書換えページ数を接続ペーパ数から１差し引いた値とする（Ｓ１８７）。以上の処理により、２ページ目以降の全てのページが書き換えられ、適切な表示となる。そして、マスタペーパメイン処理に戻る。
【００９２】
図７に戻り、マスタペーパメイン処理の説明を継続する。複数ページのページ捲りがあったかどうかが以上の複数ページ位置検出処理（Ｓ１８０）で判断されたので、次に、複数ページのページ捲りがあったか否かを判断する（Ｓ１９０）。ページ捲りがあったかどうかは、具体的には、複数ページ位置検出処理の結果、書換えページ数記憶領域３３８の値に「０」以外の値が記憶されているか否かにより判断できる。ページ捲りがあった場合には（Ｓ１９０：ＹＥＳ）、Ｓ１８０で更新されたページ順序テーブル、表示開始コンテンツページ番号、書換え開始ペーパページ番号、書換えページ数に従って、各電子ペーパに表示用データを表示させる（Ｓ２００，図１１）。
【００９３】
以上の処理により、綴じ部材の開閉、ページ捲りの際の表示内容の書換えが実行されたので、Ｓ７０に戻って処理を繰り返す。
【００９４】
次に、図１９を参照して、スレーブペーパ４で実行されるスレーブペーパメイン処理について説明する。図１９は、スレーブペーパメイン処理のフローチャートである。まず、位置検出部４７の出力値を取得して、自身の接続位置を更新し、接続位置記憶領域４３１に記憶する（Ｓ３０１）。次に、マスタペーパ３からのコマンド受信を待つ（Ｓ３０２）。
【００９５】
そして、受信したコマンドに含まれる宛先位置が、自身の接続位置（接続位置記憶領域４３１に記憶されている位置）であるか否かを判断する。宛先位置が接続位置である場合には（Ｓ３０３：ＹＥＳ）、受信したコマンドが、製造番号の問い合わせであるか否かを判断する（Ｓ３０４）。製造番号の問い合わせコマンド（ＲＥＱＩＤ）である場合には（Ｓ３０４：ＹＥＳ）、ＥＥＰＲＯＭ４４に記憶されているスレーブペーパ４自身の製造番号をマスタペーパ３に応答する（Ｓ３０５）。本実施形態では、この応答送信は（Ｍ，＊，＊，ＳＥＮＤＩＤ，製造番号）となる。製造番号の問い合わせコマンドでない場合は（Ｓ３０４：ＮＯ）、そのままＳ３０１に戻る。
【００９６】
宛先位置が接続位置でない場合には（Ｓ３０３：ＮＯ）、次に、宛先となっている製造番号が自身の製造番号か否かを判断する（Ｓ３０６）。宛先製造番号が自身の製造番号でない場合には（Ｓ３０６：ＮＯ）、そのままＳ３０１に戻る。
【００９７】
宛先製造番号が自身の製造番号である場合には（Ｓ３０６：ＹＥＳ）、受信したコマンドが表示画像の書き込みの指示であるか否かを判断する（Ｓ３０７）。書き込み指示コマンド（ＲＥＱＷＲＩＴＥ）である場合には（Ｓ３０７：ＹＥＳ）、コマンドとともに受信した表示用データをページデータ展開領域４３３に書き込み（Ｓ３０８）、続いて、展開した表示用データを表示部４６に表示させて（Ｓ３０９）、表示を完了した旨をマスタペーパ３に応答する（Ｓ３１０）。本実施形態では、この応答送信は（Ｍ，＊，＊，ＳＥＮＤＤＯＮＥ，ＮＵＬＬ）となる。そして、Ｓ３０１に戻る。
【００９８】
書き込み指示コマンド（ＲＥＱＷＲＩＴＥ）でなかった場合には（Ｓ３０７：ＮＯ）、次に、受信したコマンドが位置情報の問い合わせであるか否かを判断する（Ｓ３１１）。位置情報の問い合わせコマンド（ＲＥＱＰＯＳ）である場合には（Ｓ３１１：ＹＥＳ）、接続位置記憶領域４３１に記憶されている位置情報を取り出して、マスタペーパ３に応答する（Ｓ３１２）。本実施形態では、この応答送信は（Ｍ，＊，＊，ＳＥＮＤＰＯＳ，接続位置）となる。位置情報の問い合わせコマンド（ＲＥＱＰＯＳ）でなかった場合には（Ｓ３１１：ＮＯ）、そのままＳ３０１に戻る。
【００９９】
以上のように、スレーブペーパ４では、接続位置を更新しつつ、マスタペーパ３からのコマンド受信を待ち、受信したコマンドに従って表示部４６への表示内容を更新したり、情報をマスタペーパ３に送信したりする。
【０１００】
以上説明したように、本実施形態の表示装置１によれば、リング状の綴じ部材２にスレーブペーパ４が綴じられ、そのうちの位置検出リング２４には電圧が印加されて、各スレーブペーパ４で位置検出リング２４を流れる電圧値を計測する。その電圧値を変換して位置情報が得られ、マスタペーパ３が位置情報を収集して各ペーパを位置の順に並び替えることにより、現在のペーパの並び順を把握して、コンテンツの適切なページを表示させることができる。このように位置情報を用いることで、ページ捲りが行われたり、スレーブペーパ４の追加や取り外しが行われたときも、その都度ペーパ情報を更新すれば、現在のペーパの並び順にあわせた表示内容に書き換えることができる。また、綴じ部材２がリング状に形成されており、各スレーブペーパ４がそれぞれ位置検出部を有するため、スレーブペーパ４は所望の位置に適宜追加、取り外しが可能である。
【０１０１】
尚、上述の実施形態によれば綴じ部材２がリング状であると説明したが、電子ペーパの貫通孔に貫通する貫通部を備えている形状であればどのような形状でもよい。例えば棒状の貫通部を備えた綴じ部材により電子ペーパが綴じられていてもよい。
【０１０２】
尚、上述の実施形態によればメモリカード３８にコンテンツが1つだけ記憶されているものとして説明したが、メモリカード３８にコンテンツが複数記憶されている場合は、Ｓ１０の前にコンテンツを選択する処理を行なって選択されたコンテンツを表示させる。コンテンツを選択する処理については様々な方法が考えられる。例えば、マスタペーパに操作ボタンを設けておき、メモリカード３８に入っているコンテンツをサムネイル表示させ、操作ボタンによりユーザに選択させればよい。
【０１０３】
また、データ送信は、（Ｓ，＊，Ｓ００２３４，ＲＥＱＷＲＩＴＥ，［表示用データ］）というように、製造番号を識別子として通信を行う例をあげたが、（Ｓ，１２７，＊，ＲＥＱＷＲＩＴＥ，［表示用データ］）のように、環内位置を使って通信を行うこともできる。このような通信方法であれば、スレーブペーパの識別子を収集することなく、同様の処理が実行できる。
【０１０４】
尚、本実施形態において、図７のＳ２０，Ｓ８０，Ｓ１１０及び図８でペーパ情報収集処理を実行するマスタペーパ３のＣＰＵ３１が本発明の位置情報取得手段及び識別情報取得手段に相当する。また、図８のＳ３０で並び替え処理を実行するＣＰＵ３１が本発明の順序算出手段に相当する。また、図７のＳ４０及びＳ９０、図１３のＳ１２４，図１８のＳ１５４でページ割り当て処理を実行するマスタペーパ３のＣＰＵ３１が本発明の割当手段に相当する。また、図１９のＳ３１２で位置情報を応答するスレーブペーパ４のＣＰＵ４１が本発明の位置情報送信手段に相当する。
【図面の簡単な説明】
【０１０５】
【図１】表示装置１の外観を模式的に示した外観図である。
【図２】表示装置１の位置検出手段である位置検出リング２４の説明図である。
【図３】表示装置１の構成を示すブロック図である。
【図４】マスタペーパ３のＲＡＭ３３のデータ構造を示す構成図である。
【図５】ページ順序テーブル記憶領域３３２に記憶されたページ順序テーブルのデータ構造を示す構成図である。
【図６】スレーブペーパ４のＲＡＭ４３のデータ構造を示す構成図である。
【図７】マスタペーパ３のメイン処理（マスタペーパメイン処理）のフローチャートである。
【図８】マスタペーパメイン処理の中で実行されるペーパ情報収集処理のフローチャートである。
【図９】マスタペーパメイン処理のＳ２０でペーパ情報収集処理を実行した場合のＲＡＭ３３の記憶領域の状態の例を説明する説明図である。
【図１０】マスタペーパメイン処理のＳ４０を実行した場合のＲＡＭ３３の記憶領域の状態の例を説明する説明図である。
【図１１】マスタペーパメイン処理の中で実行されるデータ表示処理のフローチャートである。
【図１２】先頭ページを捲った直後にマスタペーパメイン処理のＳ１１０でペーパ情報収集処理を実行した場合のＲＡＭ３３の記憶領域の状態の例を説明する説明図である。
【図１３】マスタペーパメイン処理の中で実行される先頭ページ位置走査処理のフローチャートである。
【図１４】先頭ページ位置走査処理を実行した後のＲＡＭ３３の記憶領域の状態の例を説明する説明図である。
【図１５】マスタペーパメイン処理の中で実行される後端ページ位置走査処理のフローチャートである。
【図１６】後端ページを捲った場合のＲＡＭ３３の記憶領域の状態の例を説明する説明図である。
【図１７】後端ページ位置走査処理を実行した後のＲＡＭ３３の記憶領域の状態の例を説明する説明図である。
【図１８】マスタペーパメイン処理の中で実行される複数ページ位置検出処理のフローチャートである。
【図１９】スレーブペーパメイン処理のフローチャートである。
【図２０】電源供給用リング２１の断面を示す模式図である。
【図２１】位置検出用リング２４の断面を示す模式図である。
【図２２】電源供給用貫通孔６１に電源供給用リング２１が貫通されている状態を示す模式図である。
【符号の説明】
【０１０６】
１      表示装置
２      綴じ部材
３      マスタペーパ
４      スレーブペーパ
２１      電源供給リング
２２      接地リング
２３      通信用リング
２４      位置検出リング
３１      ＣＰＵ
３３      ＲＡＭ
３４      ＥＥＰＲＯＭ
３５      通信部
３６      表示部
３８      メモリカード
３９      開閉検出部
４１      ＣＰＵ
４４      ＥＥＰＲＯＭ
４３      ＲＡＭ
４５      通信部
４６      表示部
４７      位置検出部
２４０      接合部
２４１      端部
２４２      端部
３３１      接続ペーパ数記憶領域
３３２      ページ順序テーブル記憶領域
３３３      ページデータ展開領域
３３４      メモリカードアクセス用ワークエリア
３３５      表示処理ワークエリア
３３６      表示開始コンテンツページ番号記憶領域
３３７      開始ペーパページ番号記憶領域
３３８      書換えページ数記憶領域
４３１      接続位置記憶領域
４３２      ペーパページ番号記憶領域
４３３      ページデータ展開領域
【図１】
2008052234.tif 000003
【図２】
2008052234.tif 000004
【図３】
2008052234.tif 000005
【図４】
2008052234.tif 000006
【図５】
2008052234.tif 000007
【図６】
2008052234.tif 000008
【図７】
2008052234.tif 000009
【図８】
2008052234.tif 000010
【図９】
2008052234.tif 000011
【図１０】
2008052234.tif 000012
【図１１】
2008052234.tif 000013
【図１２】
2008052234.tif 000014
【図１３】
2008052234.tif 000015
【図１４】
2008052234.tif 000016
【図１５】
2008052234.tif 000017
【図１６】
2008052234.tif 000018
【図１７】
2008052234.tif 000019
【図１８】
2008052234.tif 000020
【図１９】
2008052234.tif 000021
【図２０】
2008052234.tif 000022
【図２１】
2008052234.tif 000023
【図２２】
2008052234.tif 000024